【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
記録媒体に複数の領域を作成する領域作成手段と、前記領域作成手段により作成される領域を初期化する初期化手段とを備えた画像データ記録装置であって、
前記領域作成手段により作成される領域の個数及びそれら各領域の記録容量をユーザに提示して指定させる領域作成指定手段と、
前記領域作成手段により作成される各領域のフォーマットの種類をユーザに提示して指定させるフォーマット指定手段とを備えたことを特徴とする画像データ記録装置。
【請求項２】
記録媒体に複数の領域を作成する領域作成手段と、前記領域作成手段により作成される領域を初期化する初期化手段とを備えた画像データ記録装置であって、
前記領域作成手段により作成される領域の個数及びそれら各領域の記録容量とフォーマットの種類との組み合わせからなる初期化方法候補リストを提示して初期化方法をユーザに選択させる初期化方法指定手段を備えたことを特徴とする画像データ記録装置。
【請求項３】
前記記録媒体の記録容量を検出する記録容量検出手段と、
前記初期化方法候補リストを前記記録容量検出手段により検出される記録容量に応じて生成する初期化方法候補リスト生成手段とを更に備えることを特徴とする請求項２に記載の画像データ記録装置。
【請求項４】
記録媒体に複数の領域を作成する領域作成手段と、前記領域作成手段により作成される領域を初期化する初期化手段とを備えた画像データ記録装置であって、
前記記録媒体の記録容量を検出する記録容量検出手段と、
前記領域作成手段により作成される領域の個数及びそれら各領域の記録容量をユーザに提示して指定させる領域作成指定手段と、
前記領域作成手段により作成される各領域のフォーマットの種類をユーザに提示して指定させるフォーマット指定手段と、
前記領域作成手段により作成される領域の個数及びそれら各領域の記録容量とフォーマットの種類との組み合わせからなる初期化方法候補リストを前記記録容量検出手段により検出される記録容量に応じて生成する初期化方法候補リスト生成手段と、
前記初期化方法候補リストを提示して初期化方法をユーザに選択させる初期化方法指定手段と、
前記初期化方法指定手段によるユーザ選択、及び前記領域作成指定手段及び前記フォーマット指定手段によるユーザ指定を切り換える切り替え手段とを備えたことを特徴とする画像データ記録装置。
【請求項５】
前記記録媒体は着脱可能な記録媒体であることを特徴とする請求項１〜４のいずれか１項に記載の画像データ記録装置。
【請求項６】
記録媒体に複数の領域を作成する領域作成手段と、前記領域作成手段により作成される領域を初期化する初期化手段とを備えた画像データ記録装置による記録媒体の初期化方法であって、
前記領域作成手段により作成される領域の個数及びそれら各領域の記録容量を提示してユーザに指定させる領域作成指定手順と、
前記領域作成手段により作成される各領域のフォーマットの種類をユーザに提示して指定させるフォーマット指定手順とを有することを特徴とする記録媒体の初期化方法。
【請求項７】
記録媒体に複数の領域を作成する領域作成手段と、前記領域作成手段により作成される領域を初期化する初期化手段とを備えた画像データ記録装置による記録媒体の初期化方法であって、
前記領域作成手段により作成される領域の個数及びそれら各領域の記録容量とフォーマットの種類との組み合わせからなる初期化方法候補リストを提示して初期化方法をユーザに選択させる初期化方法指定手順を有することを特徴とする記録媒体の初期化方法。
【請求項８】
記録媒体に複数の領域を作成する領域作成手段と、前記領域作成手段により作成される領域を初期化する初期化手段とを備えた画像データ記録装置を制御するためのコンピュータプログラムであって、
前記領域作成手段により作成される領域の個数及びそれら各領域の記録容量をユーザに提示して指定させる領域作成指定処理と、
前記領域作成手段により作成される各領域のフォーマットの種類をユーザに提示して指定させるフォーマット指定処理とをコンピュータに実行させることを特徴とするコンピュータプログラム。
【請求項９】
記録媒体に複数の領域を作成する領域作成手段と、前記領域作成手段により作成される領域を初期化する初期化手段とを備えた画像データ記録装置を制御するためのコンピュータプログラムであって、
前記領域作成手段により作成される領域の個数及びそれら各領域の記録容量とフォーマットの種類との組み合わせからなる初期化方法候補リストを提示して初期化方法をユーザに選択させる初期化方法指定処理をコンピュータに実行させることを特徴とするコンピュータプログラム。
【手続補正２】
【補正対象書類名】明細書
【補正対象項目名】０００８
【補正方法】変更
【補正の内容】
【０００８】
本発明の画像データ記録装置は、記録媒体に複数の領域を作成する領域作成手段と、前記領域作成手段により作成される領域を初期化する初期化手段とを備えた画像データ記録装置であって、前記領域作成手段により作成される領域の個数及びそれら各領域の記録容量をユーザに提示して指定させる領域作成指定手段と、前記領域作成手段により作成される各領域のフォーマットの種類をユーザに提示して指定させるフォーマット指定手段とを備えた点に特徴を有する。
本発明の他の画像データ記録装置は、記録媒体に複数の領域を作成する領域作成手段と、前記領域作成手段により作成される領域を初期化する初期化手段とを備えた画像データ記録装置であって、前記領域作成手段により作成される領域の個数及びそれら各領域の記録容量とフォーマットの種類との組み合わせからなる初期化方法候補リストを提示して初期化方法をユーザに選択させる初期化方法指定手段を備えた点に特徴を有する。
本発明の他の画像データ記録装置は、記録媒体に複数の領域を作成する領域作成手段と、前記領域作成手段により作成される領域を初期化する初期化手段とを備えた画像データ記録装置であって、前記記録媒体の記録容量を検出する記録容量検出手段と、前記領域作成手段により作成される領域の個数及びそれら各領域の記録容量をユーザに提示して指定させる領域作成指定手段と、前記領域作成手段により作成される各領域のフォーマットの種類をユーザに提示して指定させるフォーマット指定手段と、前記領域作成手段により作成される領域の個数及びそれら各領域の記録容量とフォーマットの種類との組み合わせからなる初期化方法候補リストを前記記録容量検出手段により検出される記録容量に応じて生成する初期化方法候補リスト生成手段と、前記初期化方法候補リストを提示して初期化方法をユーザに選択させる初期化方法指定手段と、前記初期化方法指定手段によるユーザ選択、及び前記領域作成指定手段及び前記フォーマット指定手段によるユーザ指定を切り換える切り替え手段とを備えた点に特徴を有する。
本発明の記録媒体の初期化方法は、記録媒体に複数の領域を作成する領域作成手段と、前記領域作成手段により作成される領域を初期化する初期化手段とを備えた画像データ記録装置による記録媒体の初期化方法であって、前記領域作成手段により作成される領域の個数及びそれら各領域の記録容量を提示してユーザに指定させる領域作成指定手順と、前記領域作成手段により作成される各領域のフォーマットの種類をユーザに提示して指定させるフォーマット指定手順とを有する点に特徴を有する。
本発明の他の記録媒体の初期化方法は、記録媒体に複数の領域を作成する領域作成手段と、前記領域作成手段により作成される領域を初期化する初期化手段とを備えた画像データ記録装置による記録媒体の初期化方法であって、前記領域作成手段により作成される領域の個数及びそれら各領域の記録容量とフォーマットの種類との組み合わせからなる初期化方法候補リストを提示して初期化方法をユーザに選択させる初期化方法指定手順を有する点に特徴を有する。
本発明のコンピュータプログラムは、記録媒体に複数の領域を作成する領域作成手段と、前記領域作成手段により作成される領域を初期化する初期化手段とを備えた画像データ記録装置を制御するためのコンピュータプログラムであって、前記領域作成手段により作成される領域の個数及びそれら各領域の記録容量をユーザに提示して指定させる領域作成指定処理と、前記領域作成手段により作成される各領域のフォーマットの種類をユーザに提示して指定させるフォーマット指定処理とをコンピュータに実行させる点に特徴を有する。
本発明の他のコンピュータプログラムは、記録媒体に複数の領域を作成する領域作成手段と、前記領域作成手段により作成される領域を初期化する初期化手段とを備えた画像データ記録装置を制御するためのコンピュータプログラムであって、前記領域作成手段により作成される領域の個数及びそれら各領域の記録容量とフォーマットの種類との組み合わせからなる初期化方法候補リストを提示して初期化方法をユーザに選択させる初期化方法指定処理をコンピュータに実行させる点に特徴を有する。